(57)【要約】【課題】重量の増大や製造コストの上昇を抑制しつつ、バックドアの強度向上を効率的に図ることが可能な車両のバックドア構造を提供する。【解決手段】バックドアＢＤのアウタパネル２には、インナパネル３側に向けて突出し、かつ外面側が凹溝２０ａとされた段押し部２０が設けられており、この段押し部２０は、アウタパネル２のうち、車体連結部５に対向する部分またはその近傍部分と、ダンパステー連結部６に対向する部分またはその近傍部分との間を橋渡しするように一連に延びている。【選択図】  図１
2019026035.tif 000002
【特許請求の範囲】
【請求項１】
インナパネルおよびアウタパネルが接合されることにより形成されたバックドアと、
このバックドアの上部に設けられ、かつ前記バックドアによって車体の後部のバックドアオープニングを開閉することが可能に前記バックドアを前記車体に回転可能に連結する車体連結部と、
前記インナパネルの上下高さ方向途中部に設けられ、かつ前記車体に一端部が連結されたダンパステーの他端部が連結されるダンパステー連結部と、
を備えている、車両のバックドア構造であって、
前記アウタパネルには、前記インナパネル側に向けて突出し、かつ外面側が凹溝とされた段押し部が設けられており、
この段押し部は、前記アウタパネルのうち、前記車体連結部に対向する部分またはその近傍部分と、前記ダンパステー連結部に対向する部分またはその近傍部分との間を橋渡しするように一連に延びていることを特徴とする、車両のバックドア構造。
【請求項２】
請求項１に記載の車両のバックドア構造であって、
前記バックドアは、開口状の窓部と、この窓部を塞ぐガラスとを備えており、
前記段押し部の前記凹溝の一部は、前記ガラスにより覆われているとともに、前記凹溝の他の一部は、前記ガラスに隣接した状態に前記バックドアに取付けられる意匠部材によって覆われ、かつこの意匠部材の端部は、前記ガラスよりも前記凹溝内の奥深い位置に進入している、車両のバックドア構造。
【発明の詳細な説明】
【技術分野】
【０００１】
本発明は、自動車などの車両のバックドア構造に関する。
【背景技術】
【０００２】
車両のバックドア構造の一例として、特許文献１に記載のものがある。
同文献に記載の構造においては、車両のバックドアの上部が、ルーフ部などの車体後部に回転可能に連結されている。一方、バックドアの上下高さ方向途中部は、ダンパステーを介して車体後部に連結されている。このような構成によれば、バックドアの重量をダンパステーによって受けさせ、バックドアの開閉操作を軽い操作力で円滑に行なわせることができるといった利点が得られる。
【０００３】
特許文献１においては、バックドアのダンパステー連結部に応力集中が生じることを抑制し、この部分の破損などを回避するための手段として、バックドアに補強部材を設けている。
【０００４】
しかしながら、前記した手段によれば、次に述べるように改善すべき余地がある。
【０００５】
すなわち、従来においては、バックドアのダンパステー連結部を補強する手段として、補強部材を用いているに過ぎないため、補強部材として大きなサイズおよび重量のものを用いる必要や、あるいは多くの補強部材を用いる必要が生じる。このため、バックドア全体の重量、ひいては車両全体の重量が増大する。また、生産性が悪く、製造コストも高価となる。
さらに、バックドアは、前記したダンパステー連結部に大きな応力が発生するだけではなく、バックドアの上部を車体に回転可能に連結するための車体連結部にも大きな応力が発生する。したがって、そのような部分も適切に補強することが要望されるが、特許文献１に記載の構造は、そのような要望に適切に対応し得るものではない。
【先行技術文献】
【特許文献】
【０００６】
【特許文献１】特開２０１２−１３１３７４号公報
【発明の概要】
【発明が解決しようとする課題】
【０００７】
本発明は、前記したような事情のもとで考え出されたものであり、重量の増大や製造コストの上昇を抑制しつつ、バックドアの強度向上を効率的に図ることが可能な車両のバックドア構造を提供することを、その課題としている。
【課題を解決するための手段】
【０００８】
上記の課題を解決するため、本発明では、次の技術的手段を講じている。
【０００９】
本発明により提供される車両のバックドア構造は、インナパネルおよびアウタパネルが接合されることにより形成されたバックドアと、このバックドアの上部に設けられ、かつ前記バックドアによって車体の後部のバックドアオープニングを開閉することが可能に前記バックドアを前記車体に回転可能に連結する車体連結部と、前記インナパネルの上下高さ方向途中部に設けられ、かつ前記車体に一端部が連結されたダンパステーの他端部が連結されるダンパステー連結部と、を備えている、車両のバックドア構造であって、前記アウタパネルには、前記インナパネル側に向けて突出し、かつ外面側が凹溝とされた段押し
部が設けられており、この段押し部は、前記アウタパネルのうち、前記車体連結部に対向する部分またはその近傍部分と、前記ダンパステー連結部に対向する部分またはその近傍部分との間を橋渡しするように一連に延びていることを特徴としている。
【００１０】
このような構成によれば、次のような効果が得られる。
第１に、バックドアのうち、大きな応力が発生し易い車体連結部付近と、ダンパステー連結部付近とを、アウタパネルの段押し部によって橋渡し補強することができる。したがって、たとえば車体連結部およびダンパステー連結部のそれぞれを、ただ単に個別に補強するだけの場合と比較すると、バックドア全体を効果的に補強し、バックドア全体の強度アップを的確に図ることができる。
第２に、バックドアの補強手段として、アウタパネルに段押し部を設ける手段を採用しているため、補強部材を用いる手段とは異なり、バックドアの軽量化、生産性の向上、および製造コストの低減を図ることも可能である。
第３に、本発明の前記構成とは異なり、たとえば段押し部をインナパネルに設けた場合には、この段押し部が、インナパネルにダンパステー連結部を設ける際の支障になるといった虞があるが、段押し部をアウタパネルに設けた本発明の構成によれば、そのような虞も適切に回避することが可能である。
第４に、アウタパネルに設けられた段押し部の凹溝は、後述するように、レインガイドとして利用し、バックドア開放時に車室内への水入りを防ぐのに役立させることも可能である。
【００１１】
本発明において、好ましくは、前記バックドアは、開口状の窓部と、この窓部を塞ぐガラスとを備えており、前記段押し部の前記凹溝の一部は、前記ガラスにより覆われているとともに、前記凹溝の他の一部は、前記ガラスに隣接した状態に前記バックドアに取付けられる意匠部材によって覆われ、かつこの意匠部材の端部は、前記ガラスよりも前記凹溝内の奥深い位置に進入している。
【００１２】
このような構成によれば、段押し部の凹溝がガラスにより覆われているため、この凹溝を、前記したレインガイドとしてより適切に利用することが可能である。また、ガラスに隣接している意匠部材の端部は、ガラスよりも凹溝内の奥深い位置に進入しているため、これら意匠部材およびガラスのそれぞれの端部が外部から不体裁に見えない状態とし、これらの見栄えをよくすることも可能である。
【００１３】
本発明のその他の特徴および利点は、添付図面を参照して以下に行なう発明の実施の形態の説明から、より明らかになるであろう。
【図面の簡単な説明】
【００１４】
【図１】本発明に係る車両のバックドア構造の一例を示す車両後方視の正面図である。
【図２】図１のII−II要部断面図である。
【図３】図１のIII−III断面図である。
【図４】図１に示す車両のバックドア構造で用いられているアウタパネルの要部斜視図である。
【発明を実施するための形態】
【００１５】
以下、本発明の好ましい実施の形態について、図面を参照して具体的に説明する。
図面において、矢印Ｆｒは車両前方を示し、矢印Ｗは車幅方向を示し、矢印Ｕｐは車両高さ方向の上方を示している。
【００１６】
図１および図２に示す車両のバックドア構造Ａは、車体１の後部に設けられたバックド
アオープニング１０を開閉するためのバックドアＢＤを備えている。このバックドアＢＤは、車体連結部５、ダンパステー連結部６、凹溝２０ａを形成する段押し部２０、およびサイドスポイラ７を備えている。サイドスポイラ７は、本発明でいう「意匠部材」の具体例に相当している。
【００１７】
バックドアＢＤは、アウタパネル２とインナパネル３とを組み合わせて構成されている。このバックドアＢＤの上部寄り領域には、開口状の窓部４０が形成され、かつこの窓部４０は、ガラス４により塞がれている。
【００１８】
車体連結部５は、バックドアＢＤの上部をルーフ部１１に回転可能に連結するための部分であり、ルーフ部１１に取付けられたブラケット１２に保持されている回転支持軸５１が挿通するブラケット５０の取付け部位である。ブラケット５０は、インナパネル３の上部に取付けられている。
【００１９】
ダンパステー連結部６は、車体連結部５よりも下方に位置するように、インナパネル３の上下高さ方向の途中部に設けられており、一端部が車体１に連結されたダンパステー８の他端部に連結されるコネクタ６０の取付け部位である。図１においては、車体連結部５およびダンパステー連結部６を簡略化して示しているが、同図に示すように、車体連結部５およびダンパステー連結部６のそれぞれは、車幅方向に間隔を隔てて左右一対ずつ設けられている。
【００２０】
図４に示すように、段押し部２０（網点模様部分）は、アウタパネル２に設けられている。この段押し部２０は、インナパネル３側（車両前方側）に突出し、かつアウタパネル２の外面側（後面側）が凹溝２０ａとされた部位であって、プレス加工により形成することができる。図４においても、図１と同様に、車体連結部５およびダンパステー連結部６の位置を簡略化して示している。図４および図１から理解されるように、段押し部２０は、アウタパネル２のうち、車体連結部５に対向する部分またはその近傍部分と、ダンパステー連結部６に対向する部分またはその近傍部分との間を橋渡しするように、上下高さ方向に一連に延びて設けられている。車体連結部５およびダンパステー連結部６は、それぞれ左右一対ずつ設けられているため、段押し部２０も左右一対で設けられている。
【００２１】
好ましくは、段押し部２０は、上部が車体連結部５に対向し、かつ下部がダンパステー連結部６に対向した配置に設けられる。ただし、必ずしもこれに限定されず、たとえば段押し部２０の上部と車体連結部５とが車幅方向に若干寸法位置ずれした構成、および段押し部２０の下部とダンパステー連結部６とが車幅方向に若干寸法位置ずれした構成とされていてもよい。
【００２２】
図３において、ガラス４の車幅方向の端部４ａは、凹溝２０ａの車幅方向内方側部分を覆うように配されている。この場合、ガラス４をアウタパネル２に接合するための接着剤４８を凹溝２０ａ内に配することが可能である。一方、サイドスポイラ７は、ガラス４の車幅方向外方側に隣接するようにしてアウタパネル２に取付けられている。このサイドスポイラ７は、凹溝２０ａの車幅方向外方側部分を覆っているが、このサイドスポイラ７の端部７０は、ガラス４よりも凹溝２０ａ内の奥深い位置まで進入している。
【００２３】
次に、前記した車両のバックドア構造Ａの作用について説明する。
【００２４】
まず、アウタパネル２に設けられた段押し部２０は、アウタパネル２の一般断面部分と比較すると、剛性が高い部分であるが、本実施形態においては、バックドアＢＤのうち、大きな応力が発生し易い車体連結部５の付近と、ダンパステー連結部６付近とが、段押し部２０によって橋渡し補強されることとなる。段押し部２０は、車体連結部５およびダン
パステー連結部６のそれぞれを個別に補強するものではなく、これら両者の領域を関連付けて一体的に補強するものであるため、バックドアＢＤの全体の剛性を効果的に高めることが可能である。したがって、バックドアＢＤに大きな歪みなどを生じ難くすることが可能である。
【００２５】
段押し部２０は、既述したように、アウタパネル２にプレス加工を施し、簡易に設けることが可能である。したがって、単に補強部材のみを用いて、バックドアＢＤを補強する場合とは異なり、バックドアの軽量化、生産性の向上、および製造コストの低減を図ることが可能である。
【００２６】
段押し部２０の凹溝２０ａは、レインガイドとして利用することが可能であり、バックドアＢＤの外面に付着した雨水が、バックドアＢＤの開放時に車室内に流れることを回避するのに利用することも可能である。本実施形態においては、ガラス４とサイドスポイラ７とを隣接させているが、ガラス４の端部４ａは、サイドスポイラ７によって隠されて外部から見えないようにできる。また、サイドスポイラ７の端部７０は、ガラス４よりも凹溝２０ａ内の奥深い位置まで進入しているため、このサイドスポイラ７の端部７０も外部から見えないようにすることができる。したがって、ガラス４およびサイドスポイラ７の取り付け状態を見栄えのよいものとすることもできる。
【００２７】
本発明は、上述した実施形態の内容に限定されない。本発明に係る車両のバックドア構造の各部の具体的な構成は、本発明の意図する範囲内において種々に設計変更自在である。
【００２８】
本発明でいう段押し部は、インナパネル側に向けて突出し、かつそれとは反対の外面側が凹溝とされた形態であればよく、正面視の形態が直線状、屈曲状、または湾曲状のいずれであってもよい。また、段押し部の凹溝の深さや幅などは各所不均一であってもよい。要は、アウタパネルのうち、車体連結部に対向する部分またはその近傍部分と、ダンパステー連結部に対向する部分またはその近傍部分との間を橋渡しするように一連に（連続して）延びた状態でアウタパネルに設けられていればよい。本発明でいう車体連結部およびダンパステー連結部の具体的な構成も限定されない。
【００２９】
バックドアは、金属製ドアに限らず、いわゆる樹脂製ドアとすることも可能であり、インナパネルおよびアウタパネルの双方または一方を、樹脂製とすることもできる。アウタパネルを樹脂製にした場合、段押し部は、樹脂成形によって設けることが可能である。
意匠部材は、サイドスポイラに限定されない。本発明でいう意匠部材とは、意匠性を付与しうる部材の意であり、その部材が本来もつ機能が意匠性を高めるものではないとしても、結果として意匠性を付与し得るものであれば、本発明でいう意匠部材に含まれる。
【符号の説明】
【００３０】
Ａ  車両のバックドア構造
ＢＤ  バックドア
１  車体
１０  バックドアオープニング
２  アウタパネル
２０  段押し部
２０ａ  凹溝（段押し部の）
３  インナパネル
４  ガラス
４０  窓部
５  車体連結部
６  ダンパステー連結部
７  サイドスポイラ（意匠部材）
【図１】
2019026035.tif 000003
【図２】
2019026035.tif 000004
【図３】
2019026035.tif 000005
【図４】
2019026035.tif 000006